(57)【特許請求の範囲】
【請求項１】
目地を介して隣接する左右の建造物Ａ、Ｂの、その一方の建造物Ａの目地の内外方向に沿う側壁面に一端が回動可能に枢結され、他端が他方の建造物Ｂの前壁面に差し渡されるホルダーを、付勢手段により目地の内方に付勢して該ホルダーの他端を他方の建造物Ｂの前壁面に弾接させるとともに、該ホルダーを外方にのみ回動可能に設け、該ホルダーに目地を覆うカバー板を被着してなる壁用目地カバー装置において、
目地の幅方向に連続するように蛇腹状に折曲された薄肉バネ鋼板からなる伸縮性規制部材が、前記ホルダーの背面側で、両建造物間に亘って伸縮可能に配設され、該伸縮性規制部材によって前記ホルダーの背面の目地が遮蔽されているものであり、
前記伸縮性規制部材の一側縁は、前記付勢手段の背方で、建造物Ａの側壁面に固定され、前記伸縮性規制部材の他側縁は、建造物Ｂの前壁面に固定されている
ことを特徴とする壁用目地カバー装置。
【発明の詳細な説明】
【技術分野】
【０００１】
本発明は、隣接する左右の建造物の側壁面間の目地を遮蔽する壁用目地カバー装置に関する。
【背景技術】
【０００２】
従来の壁用目地カバー装置ａにあって、図６に示すように、目地ｓを介して隣接する一方の建造物Ａの側壁面ｂに矩形枠状に形成されたホルダーｃの一端をヒンジｄを介して回動可能に枢結し、該ホルダーｃの他端を他方の建造物Ｂの前壁面ｅに差し渡すとともに、引張バネｆからなる付勢手段によって前記ホルダーｃを目地ｓの内方に付勢することにより、ホルダーｃの他端を建造物Ｂの前壁面ｅに弾接させ、該ホルダーｃに被着したカバー板ｇによって、目地ｓを遮蔽するようにしたものが知られている（例えば、特許文献１参照）。
【０００３】
また、前記ホルダーｃの枢結端側には、該ホルダーｃに裏面から当接するストッパーｈが配設され、該ストッパーｈによってホルダーｃの内方への回動を規制し、目地ｓの外方にのみ回動させ得るようにしている。これにより、地震時に、構造物Ａ，Ｂが前後方向あるいは左右方向に相対変位して、ホルダーｃの他端が建造物Ｂの前壁面ｅから離れても、該ホルダーｃが目地ｓの内方に回動しないように位置保持されるようになっている。
【先行技術文献】
【特許文献】
【０００４】
【特許文献１】特開２０００−１６０７０６号公報（図９）
【発明の概要】
【発明が解決しようとする課題】
【０００５】
ところで、従来構成の壁用目地カバー装置ａにあっては、カバー板ｇを被着したホルダーｃが目地ｓの外方へ回動可能であるため、地震時でない常態において、いたずらや犯罪を目的とする不審者が、ホルダーｃとともにカバー板ｇを外方へ回動させてカバー板ｇを開き、開放された目地ｓ内に入ったり、さらには目地ｓから建造物内へ侵入する虞があった。
【０００６】
また、地震時に、構造物Ａ，Ｂの相対変位によって、建造物Ｂがホルダーｃの他端より外側方に相対変位して、図７に示すような位置関係になった後、建造物Ｂの定常位置への復帰に際して、該建造物Ｂが矢印ｚ方向に相対変位すると、ホルダーｃの他端に衝当して壁用目地カバー装置ａを破損させる虞があった。
【０００７】
本発明は、かかる従来の問題点を解消するためになされたものであり、常態にあっては、目地内への不審者の侵入を防止し得る一方、地震時には、他方の建造物とホルダーの他端との衝当を回避し得る壁用目地カバー装置を提供することを目的とするものである。
【課題を解決するための手段】
【０００８】
本発明は、目地を介して隣接する左右の建造物の、その一方の建造物の目地の内外方向に沿う側壁面に一端が回動可能に枢結され、他端が他方の建造物の前壁面に差し渡されるホルダーを、付勢手段により目地の内方に付勢して該ホルダーの他端を他方の建造物の前壁面に弾接させるとともに、該ホルダーを外方にのみ回動可能に設け、該ホルダーに目地を覆うカバー板を被着してなる壁用目地カバー装置において、目地の幅方向に連続するように蛇腹状に折曲された薄肉バネ鋼板からなる伸縮性規制部材が、前記ホルダーの背面側で、両建造物間に亘って伸縮可能に配設され、該伸縮性規制部材によって前記ホルダーの背面の目地が遮蔽されていることを特徴とする壁用目地カバー装置である。
【発明の効果】
【０００９】
本発明は、上述したように、伸縮性規制部材が、ホルダーの背面側で、両建造物間に亘って伸縮可能に配設され、該伸縮性規制部材によってホルダーの背面の目地が遮蔽されていることにより、地震時でない常態にあっては、不審者が、ホルダーとともにカバー板を外方へ回動させてカバー板を開いても、ホルダーの背面の目地を遮蔽する伸縮性規制部材によって目地内への侵入を防止することができる。
【００１０】
また、他方の建造物がホルダーの他端より外側方に相対変位した場合に、伸縮性規制部材がホルダーの他端を内方から押圧して外方に回動させることにより、他方の建造物が定常位置に復帰する際にホルダーとの衝当が回避され、これにより目地カバー装置の破損を防止することができる。
【図面の簡単な説明】
【００１１】
【図１】本発明にかかる壁用目地カバー装置１の施工状態を示す横断面図である。
【図２】同上の壁用目地カバー装置１の施工状態を示す正面図である。
【図３】伸縮性規制部材１７の外観斜視図である。
【図４】カバー板１３が開かれた状態を示す説明図である。
【図５】建造物Ｂが外側方に相対変位したときの伸縮性規制部材１７の作用説明図である。
【図６】従来構成の壁用目地カバー装置ａの施工状態を示す横断面図である。
【図７】建造物Ｂがホルダーｃの他端より外側方に相対変位した状態を示す説明図である。
【発明を実施するための形態】
【００１２】
以下に、本発明の一実施例を、図１〜図５に基づいて説明する。
本発明にかかる壁用目地カバー装置１は、図１に示すように、目地ｓを介して隣接する左右の建造物Ａ，Ｂ間に配設される。ここで、一方の建造物Ａは、図示しない免震装置によって下部が支持されており、免震構造となっている。これにより、地震時には、免震装置の免震作用によって建造物Ａが水平方向に大きく揺れることとなる。
【００１３】
壁用目地カバー装置１を構成するホルダー２は、図１，図２に示すように、左右両側部に配設された縦杆３，３間に、複数の横杆４を上下方向に所定間隔で横架して縦長矩形状に形成されている。そして、該ホルダー２の一端を、前記建造物Ａの、目地ｓの内外方向に沿う側壁面５に固定された上下方向に延在する取付フレーム６に複数のヒンジ７を介して枢結することにより、ホルダー２が回動可能となっている。さらに、ホルダー２の枢結端側に裏面から当接するストッパー８が取付フレーム６から突設されており、ホルダー２は、該ストッパー８によって目地ｓの内方への回動が規制されて、目地ｓの外方にのみ回動し得るようになっている。
【００１４】
また、ホルダー２の所定の横杆４の中間部にはバネ受片９が後方に夫々突設されており、各バネ受片９に一端を係止した複数の引張バネ１０の他端が前記取付フレーム６に付設されたバネ受片１１に夫々係止されている。そして、この引張バネ１０の引張力によって、ホルダー２を目地ｓの内方に付勢することにより、建造物Ｂに差し渡されたホルダー２の他端を建造物Ｂの前壁面１２に弾接し得るようになっている。この引張バネ１０により、ホルダー２の付勢手段が構成されている。
【００１５】
前記ホルダー２の前面側には、目地ｓを覆うカバー板１３が被着されている。該カバー板１３は、ホルダー２と略同一寸法の縦長矩形状に形成されており、建造物Ｂ側の一端に、外側方に傾斜する傾斜縁１４が設けられている。一方、該傾斜縁１４が設けられたカバー板１３の一端が常態において当接する建造物Ｂの前壁面１２の内端には、前記傾斜縁１４と同方向に傾斜する案内傾斜面１６を備えた案内受枠１５が配設されており、両建造物Ａ，Ｂの近接方向の相対変位時に、傾斜縁１４が案内傾斜面１６に当接すると該案内傾斜面１６の案内作用を介して、ホルダー２の他端を外側方に押出し得るようになっている。
【００１６】
次に、本発明の要部について説明する。
前記ホルダー２の背面側には、伸縮性規制部材１７が両建造物Ａ，Ｂ間に亘って伸縮可能に配設されている。該伸縮性規制部材１７は、目地ｓの幅方向に連続するように蛇腹状に折曲された薄肉バネ鋼板からなり、図３に示すように、その全体形状が縦長矩形状に形成されている。この薄肉バネ鋼板としては厚み０．２ｍｍ程度のステンレスバネ鋼（SUS304H）が好適に用いられ、プレス加工によって蛇腹状に折曲される。伸縮性規制部材１７の一側縁１７ａは、図１に示すように、建造物Ａの側壁面５に固定された上下方向の固定枠１８に複数のピアスビス１９で連結されており、伸縮性規制部材１７の他側縁１７ｂは、建造物Ｂの前壁面１２に配設された前記案内受枠１５に複数のピアスビス２０で連結されている。そして、このように両建造物Ａ，Ｂ間に配設された伸縮性規制部材１７によって、ホルダー２の背面の目地ｓが遮蔽されている。
【００１７】
かかる構成にあって、地震時でない常態にあっては、図４に示すように、不審者がホルダー２とともにカバー板１３を外方へ回動させてカバー板１３を開いても、ホルダー２の背面の目地ｓが伸縮性規制部材１７によって遮蔽されていることにより、目地ｓ内への侵入を防止することができる。
【００１８】
一方、地震時に、隣接する左右の建造物Ａ，Ｂが前後方向または左右方向に相対変位すると、蛇腹状に折曲された薄肉バネ鋼板からなる伸縮性規制部材１７が、その伸縮性によって各相対変位に追従する。ここで、図５に示すように、建造物Ｂが図１に示す定常位置のホルダー２の他端より外側方に出る位置に相対変位する場合に、伸縮性規制部材１７がホルダー２の他端を内方から押圧して外方に回動させる状態が得られる。これにより、他方の建造物Ｂが定常位置に復帰する際に、ホルダー２の他端に衝当することがないため、壁用目地カバー装置１の破損を防止することができる。尚、上記にあっては説明の便宜上、建造物Ｂが変位するとして伸縮性規制部材１７の作用を説明したが、実際には免震構造の建造物Ａが変位するものである。
【符号の説明】
【００１９】
Ａ  建造物
Ｂ  建造物
ｓ  目地
１  壁用目地カバー装置
２  ホルダー
５  側壁面
１０  引張バネ（付勢手段）
１２  前壁面
１３  カバー板
１７  伸縮性規制部材
【図１】
0005680374.tif 000002
【図２】
0005680374.tif 000003
【図３】
0005680374.tif 000004
【図４】
0005680374.tif 000005
【図５】
0005680374.tif 000006
【図６】
0005680374.tif 000007
【図７】
0005680374.tif 000008